(57)【要約】【課題】指向性が高く小型化が可能なスピーカー装置を提供する。【解決手段】第１のスピーカーユニット１０１は、振動板を所定の方向に向けている。第２のスピーカーユニット１０２は、振動板を所定の方向に向け、所定の方向に直交する方向に第１のスピーカーユニットと０．１７ｍ以上０．５１ｍ未満の距離ｄで離間する。第３のスピーカーユニット１０３は、振動板を所定の方向と反対の方向に向け、所定の方向と反対の方向に第１のスピーカーユニットと距離ｄで離間する。第４のスピーカーユニット１０４は、振動板を所定の方向と反対の方向に向け、所定の方向と反対の方向に第２のスピーカーユニットと距離ｄで離間する。供給部は、音声信号を第１及び第２のスピーカーユニットへ同位相で供給するとともに、第３及び第４のスピーカーユニットへ逆位相の音声信号を供給する。【選択図】図１
2013012990.tif 000002
【特許請求の範囲】
【請求項１】
音声信号を拡声するスピーカー装置において、
前記スピーカー装置は、
振動板を所定の方向に向けた第１のスピーカーユニットと、
振動板を前記所定の方向に向けたスピーカーユニットであって、前記所定の方向に直交する方向に前記第１のスピーカーユニットと振動板の中心の間隔を０．２０４ｍ以上０．５１ｍ未満の距離ｄで離間させた第２のスピーカーユニットと、
振動板を前記所定の方向と反対の方向に向けたスピーカーユニットであって、前記所定の方向と反対の方向に前記第１のスピーカーユニットとの振動板の中心の間隔を前記距離ｄで離間させた第３のスピーカーユニットと、
振動板を前記所定の方向と反対の方向に向けたスピーカーユニットであって、前記所定の方向と反対の方向に前記第２のスピーカーユニットとの振動板の中心の間隔を前記距離ｄで離間させた第４のスピーカーユニットと、
音声信号を前記第１のスピーカーユニット及び前記第２のスピーカーユニットへ同位相で供給するとともに、前記第３のスピーカーユニット及び前記第４のスピーカーユニットへ前記第１のスピーカーユニット及び前記第２のスピーカーユニットへ出力する音声信号の位相と逆の位相の音声信号を供給する供給部とを備えることを特徴とするスピーカー装置。
【請求項２】
前記距離ｄを
０．３０６ｍ以上０．４４２ｍ未満としたことを特徴とする請求項１に記載のスピーカー装置。
【請求項３】
前記第１のスピーカーユニットと前記第２のスピーカーユニットと前記第３のスピーカーユニットと前記第４のスピーカーユニットとは同一特性のスピーカーユニットであることを特徴とする請求項１または２に記載のスピーカー装置。
【請求項４】
入力された音響信号を複数の周波数帯域に分割する帯域分割部と、
前記帯域分割部で分割した音響信号を出力する少なくとも一組のスピーカーとを備え、
前記一組のスピーカーは
振動板を所定の方向に向けた第１のスピーカーユニットと、
前記一組のスピーカーで出力する周波数帯域の中心周波数の音響信号の波長をλとしたとき、振動板を前記所定の方向に向けたスピーカーユニットであって、前記所定の方向に直交する方向に前記第１のスピーカーユニットとの振動板の中心の間隔を０．３λ以上０．７５λ未満の距離ｄで離間させた第２のスピーカーユニットと、
振動板を前記所定の方向と反対の方向に向けたスピーカーユニットであって、前記所定の方向と反対の方向に前記第１のスピーカーユニットとの振動板の中心の間隔を前記距離ｄで離間させた第３のスピーカーユニットと、
振動板を前記所定の方向と反対の方向に向けたスピーカーユニットであって、前記所定の方向と反対の方向に前記第２のスピーカーユニットとの振動板の中心の間隔を前記距離ｄで離間させた第４のスピーカーユニットと、
前記第１のスピーカーユニット及び前記第２のスピーカーユニットへ前記帯域分割部で分割した音響信号を同位相で供給するとともに、前記第３のスピーカーユニット及び前記第４のスピーカーユニットへ前記第１のスピーカーユニット及び前記第２のスピーカーユニットへ出力する音響信号の位相と逆の位相の音響信号を供給する供給部と
を備えることを特徴とするスピーカー装置。
【請求項５】
前記距離ｄを
０．４５λ以上０．６５λ未満としたことを特徴とする請求項４に記載のスピーカー装置。
【請求項６】
前記第１のスピーカーユニットと前記第２のスピーカーユニットと前記第３のスピーカーユニットと前記第４のスピーカーユニットは同一特性のスピーカーユニットであることを特徴とする請求項４または５に記載のスピーカー装置。
【発明の詳細な説明】
【技術分野】
【０００１】
本発明は、指向性を有するスピーカー装置に関する。
【背景技術】
【０００２】
駅や大規模店舗などの公共施設、商業施設などでは、音声による案内放送を提供するＰＡ(Public Address、放送設備)が広く用いられている。ＰＡでは、施設外にまで案内放送が届くと騒音となってしまうため、対象の領域にのみ案内放送が届くよう、指向性を有するスピーカー装置が用いられている。
【０００３】
指向性を有するスピーカー装置として、同一性能を有するスピーカーユニットをキャビネットの対向するバフル面に設け、逆位相で駆動するダイポール方式のスピーカー装置が知られている（たとえば、特許文献１参照）。
【０００４】
また、同じく指向性を有するスピーカー装置として、複数のスピーカーを直線状に配置したトーンゾイレ方式のスピーカーが知られている。（たとえば、特許文献２参照）。
【先行技術文献】
【特許文献】
【０００５】
【特許文献１】特開平８−１９０８９号公報
【特許文献２】特開平２−２３９７９５号公報
【発明の概要】
【発明が解決しようとする課題】
【０００６】
特許文献１に記載のスピーカー装置は、音の出力方向のうち左右方向では、２つのスピーカーユニットの出力が逆位相となる。これにより音が打ち消しあうので、一般的に前後方向の指向性が高くなる。しかしながら、２つのスピーカーユニットの間隔については特段の考慮がされていない。そのため、前後方向でも、２つのスピーカーユニットの間隔と出力の波長との関係によっては、出力が打ち消しあう場合があり、前後方向の音の出力レベルが低くなってしまい、トータルとして指向性が低くなってしまうという問題があった。
【０００７】
また、特許文献２に記載のトーンゾイレ方式のスピーカー装置は、左右のユニット間隔の略２倍の波長の信号については、前後方向に高い指向性を持つことが知られている。しかしながら、トーンゾイレ方式のスピーカー装置は、指向性を高めようとするとスピーカーの数を増やす必要があり、多くのスピーカーが直線状に並ぶため、装置が大型化してしまうという問題があった。
【０００８】
そこで、本発明が解決しようとする課題は、指向性が高く小型化が可能なスピーカー装置を提供することにある。
【課題を解決するための手段】
【０００９】
上記の課題を解決するために、本願発明は以下の装置を提供するものである。
１）音声信号を拡声するスピーカー装置において、スピーカー装置は、振動板を所定の方向に向けた第１のスピーカーユニット（１０１）と、振動板を所定の方向に向けたスピーカーユニットであって、所定の方向に直交する方向に第１のスピーカーユニットと振動板の中心の間隔を０．２０４ｍ以上０．５１ｍ未満の距離ｄで離間させた第２のスピーカーユニット（１０２）と、振動板を所定の方向と反対の方向に向けたスピーカーユニットであって、所定の方向と反対の方向に第１のスピーカーユニットとの振動板の中心の間隔を距離ｄで離間させた第３のスピーカーユニット（１０３）と、振動板を所定の方向と反対の方向に向けたスピーカーユニットであって、所定の方向と反対の方向に第２のスピーカーユニットとの振動板の中心の間隔を距離ｄで離間させた第４のスピーカーユニット（１０４）と、音声信号を第１のスピーカーユニット及び第２のスピーカーユニットへ同位相で供給するとともに、第３のスピーカーユニット及び第４のスピーカーユニットへ第１のスピーカーユニット及び第２のスピーカーユニットへ出力する音声信号と逆位相の音声信号を供給する供給部（２１）とを備えることを特徴とするスピーカー装置。
２）距離ｄを０．３０６ｍ以上０．４４２ｍ未満としたことを特徴とする１）に記載のスピーカー装置。
３）第１のスピーカーユニットと第２のスピーカーユニットと第３のスピーカーユニットと第４のスピーカーユニットとは同一特性のスピーカーユニットであることを特徴とする１）または２）に記載のスピーカー装置。
４）入力された音響信号を複数の周波数帯域に分割する帯域分割部（５１）と、帯域分割部で分割した音響信号を出力する少なくとも一組のスピーカー（４Ｂｎ）とを備え、一組のスピーカーは振動板を所定の方向に向けた第１のスピーカーユニット（４Ｂｎｆｒ）と、一組のスピーカーで出力する周波数帯域の中心周波数の音響信号の波長をλとしたとき、振動板を所定の方向に向けたスピーカーユニットであって、所定の方向に直交する方向に第１のスピーカーユニットとの振動板の中心の間隔を０．３λ以上０．７５λ未満の距離ｄで離間させた第２のスピーカーユニット（４Ｂｎｆｌ）と、振動板を所定の方向と反対の方向に向けたスピーカーユニットであって、所定の方向と反対の方向に第１のスピーカーユニットとの振動板の中心の間隔を距離ｄで離間させた第３のスピーカーユニット（４Ｂｎｒｒ）と、振動板を所定の方向と反対の方向に向けたスピーカーユニットであって、所定の方向と反対の方向に第２のスピーカーユニットとの振動板の中心の間隔を距離ｄで離間させた第４のスピーカーユニット（４Ｂｎｒｌ）と、第１のスピーカーユニット及び第２のスピーカーユニットへ帯域分割部で分割した音響信号を同位相で供給するとともに、第３のスピーカーユニット及び第４のスピーカーユニットへ第１のスピーカーユニット及び第２のスピーカーユニットへ出力する音響信号と逆位相の音響信号を供給する供給部（５２ｎ）とを備えることを特徴とするスピーカー装置。
５）距離ｄを０．４５λ以上０．６５λ未満としたことを特徴とする４）に記載のスピーカー装置。
６）第１のスピーカーユニットと第２のスピーカーユニットと第３のスピーカーユニットと第４のスピーカーユニットは同一特性のスピーカーユニットであることを特徴とする４）または５）に記載のスピーカー装置。
【発明の効果】
【００１０】
本発明のスピーカー装置によれば、指向性が高く小型化が可能なスピーカー装置を提供することができる。
【図面の簡単な説明】
【００１１】
【図１】本発明のスピーカー装置の第１実施例の斜視図である。
【図２】本発明のスピーカー装置の第１実施例のブロック構成図である。
【図３】本発明のスピーカー装置の第１実施例の指向特性を示す図である。
【図４】本発明のスピーカー装置の第２実施例の斜視図である。
【図５】本発明のスピーカー装置の第２実施例のブロック構成図である。
【発明を実施するための形態】
【００１２】
以下、本発明のスピーカー装置について、実施例に基づき添付図面を参照して説明する。
[第１実施例]
＜構成＞
図１は本発明の第１実施例であるスピーカー装置１を示す斜視図である。図１では、理解を容易にするため、スピーカー装置１の筐体や回路部分は図示せず、スピーカーユニットの配置のみを示している。本実施例のスピーカー装置１は、主にＰＡでアナウンスなどの拡声を目的として使用するものであり、周波数５００Ｈｚを中心として２５０ＨｚＨzから６００Ｈｚの周波数帯域の人間の発する音声を拡声して出力するものとする。
【００１３】
図１において、一辺をｄとする正方形の、頂点Ｖ１〜Ｖ４にスピーカーユニットを配置する。具体的には、Ａをスピーカー装置１の前方向としたとき、フロントスピーカーユニット１０１を、前側、右側の頂点Ｖ１の位置に振動板の中心が来るよう、振動板の向きを前方向として配置する。フロントスピーカーユニット１０２を、フロントスピーカーユニット１０１の左側に距離ｄだけ離れた前側、左側の頂点Ｖ２の位置に振動板の中心が来るよう、振動板の向きを前方向として配置する。また、リアスピーカーユニット１０３を、フロントスピーカーユニット１０１の後方向に距離ｄだけ離れた後側、右側の頂点Ｖ３の位置に振動板の中心が来るよう、振動板の向きを後方向として配置する。更に、リアスピーカーユニット１０４を、フロントスピーカーユニット１０２の後方向に距離ｄだけ離れた後側、左側の頂点Ｖ４の位置に振動板の中心が来るよう、振動板の向きを後方向として配置する。
【００１４】
フロントスピーカーユニット１０１、１０２とリアスピーカーユニット１０３、１０４とは略同一の口径、略同一の周波数特性である同一特性のスピーカーユニットとし、エンクロージャーに取り付けるなどして背面からの音を遮断した状態で使用する。
【００１５】
図２は、スピーカー装置１のブロック構成図である。図２に示すように、入力部２０は、入力された音声信号を供給部２１へ送る。供給部２１は、入力部２０から送られた音声信号をフロントスピーカーユニット１０１、１０２へ供給し、リアスピーカーユニット１０３、１０４へは、フロントスピーカーユニット１０１、１０２へ供給する音声信号と位相を反転させた音声信号を供給する。
＜作用＞
本実施例のスピーカー装置１において、フロントスピーカーユニット１０１、１０２とリアスピーカーユニット１０３、１０４との相互の前後及び左右の間隔ｄを変化させたときの指向特性を図３に示す。図３は、スピーカー装置１に、波長λの基準音声信号を入力したときの、スピーカー装置１の各方向へ出力する音波の音圧を、スピーカーユニットを点音源として算出し、円グラフで示したものである。図３では、間隔ｄをλの倍数であわらしている。図３の指向特性の円グラフにおいて、下方向がスピーカー装置１の前方向となっている。また、ひとつのスピーカーユニットに基準音声信号を入力したときの出力の音波の音圧の２倍を、０ｄＢ（円グラフの目盛りの最大値）としている。
【００１６】
図３ａ）に示すように、ｄ＜０．３λのとき、指向特性の波形は大きく横に広がった８の字形となっており、スピーカー装置１の指向性は低い。また、矢印Ａ（前方向）の音圧は、約−６ｄＢであり、スピーカー装置１としての効率は低い。
【００１７】
図３ｂ）、ｃ）、ｄ）に示すように、０．３λ≦ｄ＜０．４５λのとき、指向特性の波形はやや幅広なものの８の字形となっており、スピーカー装置１は前後方向に指向性を持つ。また、最大の音圧は、−２ｄＢを越えており、スピーカー装置１としての効率は高い。
【００１８】
図３ｅ）、ｆ）、ｇ）、ｈ）に示すように、０．４５λ≦ｄ＜０．６５λのとき、指向特性の波形は８の字形となっており、スピーカー装置１は前後方向に高い指向性を持つ。また、最大の音圧は、−２ｄＢを超えており、スピーカー装置１としての効率は高い。
【００１９】
図３ｉ）、ｊ）に示すように、０．６５λ≦ｄ＜０．７５λのとき、指向特性の波形をみると、多少のサイドローブが発生しているものの８の字形となっており、スピーカー装置１の指向性は高い。最大の音圧は、−４ｄＢを越えており、スピーカー装置１としての効率は許容範囲である。
【００２０】
図３ｋ）、ｌ）に示すように、０．７５λ≦ｄのとき、指向特性の波形をみると、大きなサイドローブが発生しており、スピーカー装置１の指向性は低い。また、最大の音圧は、−６ｄＢ以下となっており、スピーカー装置１としての効率は低く実用性に劣る。
【００２１】
以上をまとめると、本実施例のスピーカー装置１は、ｄ＜０．３λのときには、指向性が低い。０．３λ≦ｄ＜０．７５λのときには、前後方向に指向性を持つ。更に、０．４５λ≦ｄ＜０．６５λのときには、前後方向に高い指向性を持ち、効率が高い。０．７５λ≦ｄのときには、指向性が低く、効率も低い。
【００２２】
また、本実施例のスピーカー装置１は、前述のように、主にＰＡでアナウンスなどの拡声を目的として使用するものであり、周波数５００Ｈｚを中心とした周波数帯域の音波信号からなる音声を出力する。そして音速を３４０ｍ／ｓとすると、周波数５００Ｈｚの音波の波長は０．６８ｍである。このとき、０．３λ≦ｄ＜０．７５λは、０．２０４ｍ≦ｄ＜０．５１ｍ、０．４５λ≦ｄ＜０．６５λは、０．３０６ｍ≦ｄ＜０．４４２ｍに相当する。
【００２３】
本実施例のスピーカー装置１は、前後のスピーカーユニットの間隔ｄを０．２０４ｍ≦ｄ＜０．５１ｍとすることを特徴とする。より好ましくは、０．３０６ｍ≦ｄ＜０．４４２ｍとする。
【００２４】
本実施例のスピーカー装置１において、フロントスピーカーユニット１０１とリアスピーカーユニット１０３とは、ダイポール方式のスピーカーを構成する。同様に、フロントスピーカーユニット１０２とリアスピーカーユニット１０４とは、ダイポール方式のスピーカーを構成する。従来のダイポール方式のスピーカー装置では、前後方向におけるスピーカーユニット間の音波の干渉を避けるため、遮蔽板を設けるものもあった。これに対し本実施例のスピーカー装置は、互いに振動板の向きを逆方向とした２つのスピーカーユニットに同位相の音声信号を出力するとともに、互いの間隔を、出力の中心となる波長の略１／２とする。これにより、２つのスピーカーユニットの出力の位相が前後方向で同位相となり、互いの出力を高めあうこととなる。したがって、遮蔽板が不要なだけでなく、より指向性を高めることができる。
【００２５】
また、フロントスピーカーユニット１０１と１０２とは、トーンゾイレ方式のスピーカーを構成する。同様に、リアスピーカーユニット１０３と１０４とは、トーンゾイレ方式のスピーカーを構成する。トーンゾイレ方式のスピーカー装置は、左右のユニット間隔の略２倍の波長の信号については、前後方向に高い指向性を持つので、更に指向性を高めることができる。
【００２６】
また、本実施例のスピーカー装置１は、４つのスピーカーユニットを用いて高い指向性を発揮するとともに、横方向には２つのスピーカーユニットを１／２波長の幅で並べるだけでよいので、従来のスピーカー装置に比べ、小型化が可能である。
【００２７】
なお、各スピーカーユニットの相互の前後及び左右のユニット間隔は、必ずしも同一でなくても、それぞれが前述の範囲であればよい。
[第２実施例]
＜構成＞
次に、第２実施例のスピーカー装置を説明する。第２実施例は、第１実施例よりも更に広い周波数帯域にわたって高い指向性を持つスピーカー装置の例である。第２実施例のスピーカー装置４は、第１実施例のスピーカー装置１を一組のスピーカーセットとして、相互の間隔を変えたｎ組（ｎは２以上の整数とする）のスピーカーセット４Ｂｎを設けたものである。
【００２８】
以下、ｎ＝６とした例を説明する。図４は本発明のスピーカー装置の第２実施例のスピーカー装置４の配置を示す斜視図であり、そのうち図４ａ）はスピーカーユニットの配置場所を示す斜視図、図４ｂ）はスピーカーユニットを配置した状態を示す斜視図である。理解を容易にするため、図４ａ）では、スピーカーユニットは図示せず、スピーカーユニットを配置する場所の位置関係のみを示している。また図４ｂ）では、スピーカーユニットを配置する場所の位置関係やスピーカー装置４の筐体、回路部分は図示せず、スピーカーユニットの配置のみを示している。図４において、Ｃをスピーカー装置４の前方向とする。
【００２９】
本実施例では、図４ａ）に示す、一辺をｄｎとする正方形の、頂点Ｖｎ１〜Ｖｎ４に振動板の中心が来るようスピーカーユニットを配置する。具体的には、図４ｂ）に示すように、フロントスピーカーユニット４Ｂｎｆｒを、前側で右側の頂点Ｖｎ１の位置に振動板の中心が来るよう、振動板の向きを前方向として配置する。フロントスピーカーユニット４Ｂｎｆｌを、フロントスピーカーユニット４Ｂｎｆｒの左側に距離ｄｎだけ離れた前側で左側の頂点Ｖｎ２の位置に振動板の中心が来るよう、振動板の向きを前方向として配置する。また、リアスピーカーユニット４Ｂｎｒｒを、フロントスピーカーユニット４Ｂｎｆｒの後方向に距離ｄｎだけ離れた後側で右側の頂点Ｖｎ３の位置に振動板の中心が来るよう、振動板の向きを後方向として配置する。更に、リアスピーカーユニット４Ｂｎｒｌを、フロントスピーカーユニット４Ｂｎｆｌの後方向に距離ｄｎだけ離れた後側で左側の頂点Ｖｎ４の位置に振動板の中心が来るよう、振動板の向きを後方向として配置する。
【００３０】
フロントスピーカーユニット４Ｂｎｆｒ、４Ｂｎｆｌとリアスピーカーユニット４Ｂｎｒｒ、４Ｂｎｒｌとは略同一の口径、略同一の周波数特性である同一特性のスピーカーユニットとし、エンクロージャーに取り付けるなどして背面からの音を遮断した状態で使用する。
【００３１】
図５は、スピーカー装置４のブロック構成図である。図５に示すように、入力部５０は、入力された音響信号を帯域分割部５１に送る。帯域分割部５１は、コンデンサ、コイルからなるｎ組のＢＰＦ(Band Pass Filter）５１ｎを備えている。ＢＰＦ５１ｎは、入力された音響信号の周波数帯域を分割し、帯域分割した音響信号を、それぞれのスピーカーセット４Ｂｎに出力する。また、各スピーカーセットにおけるフロントスピーカーユニットとリアスピーカーユニットとの前後及び左右の間隔ｄｎを、帯域分割部５１でスピーカーセットごとに分割した音響信号の中心周波数の波長の略１／２とする。
【００３２】
スピーカー装置４は、第１帯域用スピーカーセット４Ｂ１、第２帯域用スピーカーセット４Ｂ２、第３帯域用スピーカーセット４Ｂ３、第４帯域用スピーカーセット４Ｂ４、第５帯域用スピーカーセット４Ｂ５、第６帯域用スピーカーセット４Ｂ６の、６組のスピーカーセット４Ｂｎを備えている。
【００３３】
入力部５０は、入力された音響信号を帯域分割部５１に送る。分割部５１は、６組のＢＰＦ５１１〜５１６を備えており、入力された音響信号を、中心周波数が１／２オクターブずつ異なる６つの周波数帯域に分割する。
【００３４】
ＢＰＦ５１１は、中心周波数５００Ｈｚの周波数帯域の音響信号を、第１帯域用スピーカーセット４Ｂ１の供給部５２１へ出力する。供給部５２１は、フロントスピーカーユニット４Ｂ１ｆｒ、４Ｂ１ｆｌへは帯域分割された音響信号をそのまま供給し、リアスピーカーユニット４Ｂ１ｒｒ、４Ｂ１ｒｌへは帯域分割された音響信号の位相を反転させて供給する。また、フロントスピーカーユニット４Ｂ１ｆｒ、４Ｂ１ｆｌとリアスピーカーユニット４Ｂ１ｒｒ、４Ｂ１ｒｌとの前後及び左右の間隔ｄ１を、中心周波数５００Ｈｚの音響信号の１／２波長である０．３４ｍとする。
【００３５】
ＢＰＦ５１２は、ＢＰＦ５１１の中心周波数５００Ｈｚよりも１／２オクターブ高い周波数７０７Ｈｚを中心とした周波数帯域の音響信号を、第２帯域用スピーカーセット４Ｂ２の供給部５２２へ出力する。供給部５２２は、フロントスピーカーユニット４Ｂ２ｆｒ、４Ｂ２ｆｌへは帯域分割された音響信号をそのまま供給し、リアスピーカーユニット４Ｂ２ｒｒ、４Ｂ２ｒｌへは帯域分割された音響信号の位相を反転させて供給する。また、フロントスピーカーユニット４Ｂ２ｆｒ、４Ｂ２ｆｌとリアスピーカーユニット４Ｂ２ｒｒ、４Ｂ２ｒｌとの前後及び左右の間隔ｄ２を、中心周波数７０７Ｈｚの音響信号の１／２波長である０．２４ｍとする。
【００３６】
ＢＰＦ５１３は、ＢＰＦ５１２の中心周波数７０７Ｈｚよりも１／２オクターブ高い周波数１ｋＨｚを中心とした周波数帯域の音響信号を、第３帯域用スピーカーセット４Ｂ３の供給部５２３へ出力する。供給部５２３は、フロントスピーカーユニット４Ｂ３ｆｒ、４Ｂ３ｆｌへは帯域分割された音響信号をそのまま供給し、リアスピーカーユニット４Ｂ３ｒｒ、４Ｂ３ｒｌへは帯域分割された音響信号の位相を反転させて供給する。また、フロントスピーカーユニット４Ｂ３ｆｒ、４Ｂ３ｆｌとリアスピーカーユニット４Ｂ３ｒｒ、４Ｂ３ｒｌとの前後及び左右の間隔ｄ３を、１ｋＨｚの音響信号の１／２波長である０．１７ｍとする。
【００３７】
ＢＰＦ５１４は、ＢＰＦ５１３の中心周波数１ｋＨｚよりも１／２オクターブ高い周波数１．４ｋＨｚを中心とした周波数帯域の音響信号を、第４帯域用スピーカーセット４Ａ４の供給部５２４へ出力する。供給部５２４は、フロントスピーカーユニット４Ｂ４ｆｒ、４Ｂ４ｆｌへは帯域分割された音響信号をそのまま供給し、リアスピーカーユニット４Ｂ４ｒｒ、４Ｂ４ｒｌへは帯域分割された音響信号の位相を反転させて供給する。また、フロントスピーカーユニット４Ｂ４ｆｒ、４Ｂ４ｆｌとリアスピーカーユニット４Ｂ４ｒｒ、４Ｂ４ｒｌとの前後及び左右の間隔ｄ４を、中心周波数１．４ｋＨｚの音響信号の１／２波長である０．１２ｍとする。
【００３８】
ＢＰＦ５１５は、ＢＰＦ５１４の中心周波数１．４ｋＨｚよりも１／２オクターブ高い周波数２ｋＨｚを中心とした周波数帯域の音響信号を、第５帯域用スピーカーセット４Ｂ５の供給部５２５へ出力する。供給部５２５は、フロントスピーカーユニット４Ｂ５ｆｒ、４Ｂ５ｆｌへは帯域分割された音響信号をそのまま供給し、リアスピーカーユニット４Ｂ５ｒｒ、４Ｂ５ｒｌへは帯域分割された音響信号の位相を反転させて供給する。また、フロントスピーカーユニット４Ｂ５ｆｒ、４Ｂ５ｆｌとリアスピーカーユニット４Ｂ５ｒｒ、４Ｂ５ｒｌとの前後及び左右の間隔ｄ５を、中心周波数２ｋＨｚの音響信号の１／２波長である０．０８５ｍとする。
【００３９】
ＢＰＦ５１６は、ＢＰＦ５１５の中心周波数２ｋＨｚよりも１／２オクターブ高い周波数２．８２ｋＨｚを中心とした周波数帯域の音響信号を、第６帯域用スピーカーセット４Ｂ６の供給部５２６へ出力する。供給部５２６は、フロントスピーカーユニット４Ｂ６ｆｒ、４Ｂ６ｆｌには帯域分割された音響信号をそのまま供給し、リアスピーカーユニット４Ｂ６ｒｒ、４Ｂ６ｒｌには帯域分割された音響信号の位相を反転させて供給する。また、フロントスピーカーユニット４Ｂ６ｆｒ、４Ｂ６ｆｌとリアスピーカーユニット４Ｂ６ｒｒ、４Ｂ６ｒｌとの前後及び左右の間隔ｄ６を、中心周波数２．８２ｋＨｚの音響信号の１／２波長である０．０６ｍとする。
【００４０】
なお、各スピーカーユニットの間隔ｄｎは、正確にλｎ／２でなくとも、第１実施例と同様、０．３λｎ≦ｄｎ＜０．７５λｎであれば、効果を奏する。より好ましくは、０．４５λｎ≦ｄｎ＜０．６５λｎであれば、より大きな効果を奏する。更に、各スピーカーユニットの相互の前後の間隔と左右の間隔とは、必ずしも同一でなくても、それぞれが前述の範囲であれば効果を奏する。
また、分割したすべての周波数帯域の音響信号を前述のようなスピーカーセットで出力しなくとも、高い指向性を所望する周波数帯域の音響信号を前述のようなスピーカーセットで出力する構成としても、効果を奏する。
【００４１】
スピーカー装置４のｎ組のスピーカーセット４Ｂｎにおいて、フロントスピーカーユニット４Ｂｎｆｒとリアスピーカーユニット４Ｂｎｒｒとは、ダイポール方式のスピーカーを構成する。同様に、フロントスピーカーユニット４Ｂｎｆｌとリアスピーカーユニット４Ｂｎｒｌとは、それぞれ第１実施例と同様のダイポール方式のスピーカーを構成する。すなわち、それぞれのスピーカーセットは、左右方向への音響信号を打ち消しあい、前後方向への音響信号を高めあうので、高い指向性を持つ。
【００４２】
また、ｎ組のスピーカーセット４Ｂｎにおいて、フロントスピーカーユニット４Ｂｎｆｒとフロントスピーカーユニット４Ｂｎｆｌとは、トーンゾイレ方式のスピーカーを構成する。同様に、リアスピーカーユニット４Ｂｎｒｒとリアスピーカーユニット４Ｂｎｒｌとは、トーンゾイレ方式のスピーカーを構成する。トーンゾイレ方式のスピーカー装置は、左右のユニット間隔の略２倍の波長の信号については、前後方向に高い指向性を持つので、更に指向性を高めることができる。
【００４３】
また、スピーカー装置４のｎ組のスピーカーセット４Ｂｎは、それぞれ４つのスピーカーユニットを用いて高い指向性を発揮するとともに、横方向には２つのスピーカーユニットを１／２波長の幅で並べるだけでよいので、従来のスピーカー装置に比べ、小型化が可能である。
【００４４】
また、それぞれのスピーカーセットが担う周波数帯域が狭いので、じゅうぶんに高い指向性を持つ。更に、前後及び左右の間隔を変えたｎ個のスピーカーセットを、適切な周波数帯域ごとに用いるので、スピーカー装置全体としては、広い周波数帯域に渡って高い指向性を持つスピーカー装置となる。そのため、ＢＧＭ(Back Ground Music)など、より広い周波数帯域の音源を出力したい場合でも、じゅうぶんな指向性が得ることができる。
【符号の説明】
【００４５】
１、４            スピーカー装置
２０、５０        入力部
５１、５１ｎ      帯域分割部
２１、５２ｎ      供給部
４Ｂｎ            スピーカーセット
１０１、１０２、４Ｂｎｆｒ、４Ｂｎｆｌ  フロントスピーカーユニット
１０３、１０４、４Ｂｎｒｒ、４Ｂｎｒｌ  リアスピーカーユニット
【図１】
2013012990.tif 000003
【図２】
2013012990.tif 000004
【図３】
2013012990.tif 000005
【図４】
2013012990.tif 000006
【図５】
2013012990.tif 000007